(57)【要約】      （修正有）【課題】柔軟性のある素材から形成され、収納ケースの高さを調節することが可能な収納ケースを提供する。【解決手段】収納ケース１０は、上方を開口した箱状の本体部２０と、本体部２０の上端辺に延在するマチ部３０と、このマチ部３０の一方の長辺に連結し、マチ部３０の開口部を閉塞する蓋面部４０とから構成されている。接着状態にある一対のマチ部固定用面ファスナ２７ａ、２７ｂを切り離すことで、折り畳んだ状態で本体部２０の内側に設けていたマチ部３０が伸長可能となり、マチ部３０を伸長可能とすることで、更に多くの収納スペースを確保することができる。【選択図】図２
0003197230.tif 000002
【実用新案登録請求の範囲】
【請求項１】
上方を開口した箱状の本体部と、該本体部の側面部の上端から延在し、縦方向に伸縮自在とするマチ部と、該マチ部の一方の長辺に連結し、前記マチ部の開口部を閉塞する蓋面部とから構成し、これらの各部は柔軟性を有する素材から成る収納ケースであって、
前記側面部の両側の短側面部の上端から延在する前記マチ部の上端辺にマチ部開閉バンドを取り付け、該マチ部開閉バンドに設けた一方側のマチ部固定用面ファスナを、前記短側面部の上部に設けた他方側のマチ部固定用面ファスナへ接着することで、前記マチ部を折り畳んだ状態で前記本体部の内側に収納可能とすることを特徴とする収納ケース。
【請求項２】
前記蓋面部の短手方向又は長手方向に平行する両辺部に連結バンドを取り付け、該連結バンドに一方側の連結用面ファスナを設け、前記短側面部又は長側面部の下部に他方側の連結用面ファスナを設けたことを特徴とする請求項１に記載の収納ケース。
【請求項３】
上方に開口部を有する箱状の本体部と、前記開口部を閉塞する蓋面部とから構成し、これらの各部は柔軟性を有する素材から成る収納ケースであって、
前記蓋面部の短手方向又は長手方向に平行する両辺部に連結バンドを取り付け、該連結バンドに一方側の連結用面ファスナを設け、前記本体部の短側面部又は長側面部の下部に他方側の連結用面ファスナを設けたことを特徴とする収納ケース。
【考案の詳細な説明】
【技術分野】
【０００１】
本考案は、衣類等を収納するための収納ケースに関するものである。
【背景技術】
【０００２】
特許文献１には、上面が開口可能であって、不織布の表面に塩化ビニルをラミネートした柔軟性を有するシート材を縫製して作成した収納袋が開示されている。この収納袋は袋本体と上面の蓋とをファスナで開閉可能であり、未使用時には折り畳むことが可能である。
【０００３】
また、硬質の合成樹脂製の箱体から成り衣類等を収納する収納ケースは、様々な形状のものが広く使用されている。
【先行技術文献】
【特許文献】
【０００４】
【特許文献１】実開昭５２−１６１１１５号公報
【考案の概要】
【考案が解決しようとする課題】
【０００５】
クローゼット等内に特許文献１の収納袋を使用する場合は、組み立て配置する。収納する衣類等が多い場合は、複数の収納袋を用意し、積み重ねて利用することとなる。
【０００６】
また、特許文献１の衣類等の最大収容容量は固定であるため、最大収容容量に達した場合は、積み重ねる２段目の収納袋に少ししか収容しないときでも、２段目の収納袋を利用せざるを得ない。
【０００７】
更に、複数の収納袋を重ねた際には、柔軟性を有するシート材から成る収容袋は変形し易く、重ねた後に上側の収納袋がずれ落ちてしまうという問題もある。
【０００８】
本考案の目的は、上述の問題点を解消し、柔軟性のある素材から形成され、袋本体の高さを２段階に調節可能であり、かつ連結可能な折り畳み収納ケースを提供することにある。
【課題を解決するための手段】
【０００９】
上記目的を達成するための本考案に係る収納ケースは、上方を開口した箱状の本体部と、該本体部の側面部の上端から延在し、縦方向に伸縮自在とするマチ部と、該マチ部の一方の長辺に連結し、前記マチ部の開口部を閉塞する蓋面部とから構成し、これらの各部は柔軟性を有する素材から成る収納ケースであって、前記側面部の両側の短側面部の上端から延在する前記マチ部の上端辺にマチ部開閉バンドを取り付け、該マチ部開閉バンドに設けた一方側のマチ部固定用面ファスナを、前記短側面部の上部に設けた他方側のマチ部固定用面ファスナへ接着することで、前記マチ部を折り畳んだ状態で前記本体部の内側に収納可能とすることを特徴とする。
【考案の効果】
【００１０】
本考案に係る収納ケースによれば、柔軟性のある素材から形成され、伸縮自在のマチ部を設けることで収納ケースの高さを２段階に調節することが可能である。
【００１１】
また、連結用面ファスナを設けることで、複数の収納ケースを安定して積み重ねることが可能である。更に、不使用時は平面状にし、更に二つ折りにすることが可能であり、コンパクトに収容することができる。
【図面の簡単な説明】
【００１２】
【図１】実施例の収納ケースを組み立てた状態の斜視図である。
【図２】マチ部を開放した状態の斜視図である。
【図３】蓋面部を開いた状態の斜視図である。
【図４】複数の収納ケースを積み重ねた状態の斜視図である。
【図５】平面状に折り畳んだ状態の斜視図である。
【図６】平面状に折り畳み更に二つ折りにした状態の斜視図である。
【考案を実施するための形態】
【００１３】
本考案を図示の実施例に基づいて詳細に説明する。
図１は収納ケース１０を組み立てた状態の斜視図、図２は図１の状態の収納ケースから後述するマチ部を開放した状態の斜視図、図３は図１における収納ケースの後述する蓋面部を開いた状態の斜視図である。
【００１４】
収納ケース１０は、上方を開口した箱状の本体部２０と、本体部２０の上端辺に延在するマチ部３０と、このマチ部３０の一方の長辺に連結し、マチ部３０の開口部３１を閉塞する蓋面部４０とから構成されている。
【００１５】
収納ケース１０の大きさは、例えば幅６０ｃｍ、奥行４０ｃｍ、高さ３０ｃｍ程度であるが、収納する衣類等の量に応じて、適宜のサイズとすることができる。
【００１６】
本体部２０、マチ部３０及び蓋面部４０は柔軟性を有する丈夫な布地材等から成り、これらの本体部２０、蓋面部４０の辺部等はほつれないように、また補強のために布テープ等により縁取りされている。
【００１７】
本体部２０は上方を開口した箱状であり、底面部２１、前側面部２２、後側面部２３、両側の短側面部２４、２５から構成されている。
【００１８】
両短側面部２４、２５には、それぞれ略中央に把手部２６が取り付けられ、上部にマチ部固定用面ファスナ２７ａ、下部に連結用面ファスナ２８ａが設けられている。
【００１９】
また、前側面部２２、後側面部２３、両側の短側面部２４、２５の上端辺には、図２に示すように収納ケースの縦方向に伸縮を可能とするマチ部３０が設けられている。短側面部２４、２５の上端辺から延在するマチ部３０の上端辺には、一対のマチ部開閉バンド３２が取り付けられている。これらのマチ部開閉バンド３２の先端部の裏面それぞれには、両短側面部２４、２５に設けたマチ部固定用面ファスナ２７ａと対応して接着するマチ部固定用面ファスナ２７ｂが取り付けられている。
【００２０】
また、前側面部２２と両側の短側面部２４、２５の上方のマチ部３０の上端辺には、蓋面部４０を閉止する蓋面部開閉ファスナ３３の一方側である開閉ファスナ３３ａが取り付けられている。
【００２１】
更に、後側面部２３の上方のマチ部３０の先端には、マチ部３０の開口部３１を覆う蓋面部４０が折曲自在に連結されている。この蓋面部４０の周辺には、本体部２０側の開閉ファスナ３３ａと対応して係合し、蓋面部開閉ファスナ３３の他方側である開閉ファスナ３３ｂが取り付けられている。
【００２２】
蓋面部４０には、２枚の厚紙等が上下の布地材により挟まれて配置され、蓋面部４０は厚紙同士の境目である一点鎖線で示す折り目Ｌに沿って二つ折り可能とされている。
【００２３】
同様に底面部２１においても２枚の図示しない同形の厚紙等の板体が長手方向に並んで上下の布地材により挟まれており、この底面部２１は長手方向の中央の厚紙同士の境目である折り目において二つ折り可能とされている。
【００２４】
また、蓋面部４０の短手方向に平行する両辺部の中央には、布地材から成る連結バンド４１、４２が取り付けられ、これらの連結バンド４１、４２の先端部の裏面には、両短側面部２４、２５に設けた連結用面ファスナ２８ａと対応して接着する連結用面ファスナ２８ｂが取り付けられている。なお、連結バンド４１、４２は蓋面部４０の長手方向に平行する両辺部に設けるようにし、連結用面ファスナ２８ｂは長側面部である前側面部２２、後側面部２３に設けるようにしてもよい。
【００２５】
通常時においては、図１に示すように収納ケース１０を組み立てた状態で使用するが、衣類等の収納物が満杯に達した場合に、接着状態にある一対のマチ部固定用面ファスナ２７ａ、２７ｂを切り離してマチ部３０を上方向へ開放する。
【００２６】
このように開放することで、図３に示すように折り畳んだ状態で本体部２０の内側に収納していたマチ部３０が、図２のマチ部３０に示すように伸長可能となる。マチ部３０を伸長可能とすることで、更に多くの収納スペースを確保することができる。このように、マチ部固定用面ファスナ２７ａ、２７ｂの接着、開放に伴い、収納ケース１０の高さを２段階に調節可能となる。
【００２７】
複数の収納ケース１０を積み重ねる場合には、図４に示すように上方に積み上げた２段目の収納ケース１０の連結用面ファスナ２８ａに下方の１段目の収納ケース１０の連結用面ファスナ２８ｂを接着させて固定する。また、収納物を収容した収納ケース１０の持ち運びは、両側の把手部２６を持って運搬することができる。
【００２８】
なお、図１〜図３においては、本体部２０の周側面は柔軟性を有する布地材等から成っているので上下方向に崩れ易く、本体部２０内に収納物を或る程度入れなければ、図１〜図３の形状を維持することはできない。
【００２９】
図５は図１の状態から本体部２０内に収納物を取り除いた状態とし、前側面部２２、後側面部２３、短側面部２４、２５を内側に押し込むようにして、蓋面部４０を底面部２１に向けて押して折り畳んだ状態を示している。そして、蓋面部４０に設けた連結バンド４１、４２の連結用面ファスナ２８ｂを短側面部２４、２５の連結用面ファスナ２８ａに対応して接着することにより、この折り畳み状態が保持される。
【００３０】
図６は図５に示す折り畳み状態において、更に２つに折り畳んだ状態を示している。このようにして、収納ケース１０は不使用時には小さく折り畳むことが可能となる。
【符号の説明】
【００３１】
１０  収納ケース
２０  本体部
２１  底面部
２２  前側面部
２３  後側面部
２４、２５  短側面部
２６  把手部
２７ａ、２７ｂ  マチ部固定用面ファスナ
２８ａ、２８ｂ  連結用面ファスナ
３０  マチ部
３１  開口部
３２  マチ部開閉バンド
３３  蓋面部開閉ファスナ
３３ａ、３３ｂ  開閉ファスナ
４０  蓋面部
４１、４２  連結バンド
【図１】
0003197230.tif 000003
【図２】
0003197230.tif 000004
【図３】
0003197230.tif 000005
【図４】
0003197230.tif 000006
【図５】
0003197230.tif 000007
【図６】
0003197230.tif 000008